(57)【要約】【課題】量子ドットを埋め込む中間層に広バンドギャップの半導体材質を用いた場合において、光電流の低減を抑制する。【解決手段】量子ドット型赤外線検出器は、光検出部１３と、光検出部１３とモノリシックに形成された発光部１１とを備える。光検出部１３は、少なくとも一層の量子ドット層３１と、量子ドット層３１を内包する中間層３０とを備える。光検出部１３は、量子ドット層３１の量子ドットにおけるキャリア５１の検出対象赤外線によるサブバンド間遷移に基づいて光電流を出力する。サブバンド間遷移において、キャリアが量子ドットの基底準位３３から励起準位３４へ遷移する。発光部１１の発光エネルギーは、励起準位３４と中間層３０の伝導帯端とのエネルギー差以上である。発光部１１は、サブバンド間遷移により励起準位３４に遷移したキャリア５２を中間層３０の伝導帯に励起する光子４１を出力する。【選択図】図１
2014082273.tif 000002
【特許請求の範囲】
【請求項１】
少なくとも一層の量子ドット層と、前記量子ドット層を内包する中間層とを備えた光検出部と、
前記光検出部とモノリシックに形成された発光部と
を具備し、
前記光検出部は、前記量子ドット層の量子ドットにおけるキャリアの検出対象赤外線によるサブバンド間遷移に基づいて光電流を出力し、
前記サブバンド間遷移において、前記キャリアが前記量子ドットの基底準位から励起準位へ遷移し、
前記発光部の発光エネルギーは、前記励起準位と前記中間層の伝導帯端とのエネルギー差以上であり、
前記発光部は、前記サブバンド間遷移により前記励起準位に遷移した前記キャリアを前記中間層の伝導帯に励起する光子を出力する
量子ドット型赤外線検出器。
【請求項２】
請求項１に記載の量子ドット型赤外線検出器であって、
前記発光エネルギーは、前記基底準位と前記伝導帯端とのエネルギー差より小さい
量子ドット型赤外線検出器。
【請求項３】
請求項１又は２に記載の量子ドット型赤外線検出器であって、
前記発光エネルギーは、前記励起準位と前記伝導帯端とのエネルギー差に略等しい
量子ドット型赤外線検出器。
【請求項４】
請求項１乃至３のいずれか一項に記載の量子ドット型赤外線検出器であって、
前記発光部は、量子井戸型のカスケードレーザである
量子ドット型赤外線検出器。
【請求項５】
請求項１乃至４のいずれか一項に記載の量子ドット型赤外線検出器であって、
前記発光部は、
光子を発生する量子井戸層と、
前記量子井戸層で発生した前記光子を前記光検出部に向けて反射する第１半導体反射鏡と
を備え、
前記量子井戸層は、前記光検出部と前記第１半導体反射鏡の間に配置される
量子ドット型赤外線検出器。
【請求項６】
請求項１乃至５のいずれか一項に記載の量子ドット型赤外線検出器であって、
前記光検出部は、前記発光部が出力した光子を前記量子ドット層に向けて反射する第２半導体反射鏡を更に備え、
前記量子ドット層及び前記中間層は、前記第２半導体反射鏡と前記発光部の間に配置される
量子ドット型赤外線検出器。
【請求項７】
請求項１乃至６のいずれか一項に記載の量子ドット型赤外線検出器と、
前記光検出部に光検出部バイアス電圧を印加する光検出部用電圧源と、
前記発光部に発光部バイアス電圧を印加する発光部用電圧源と
を具備する
赤外線検出装置。
【請求項８】
請求項７に記載の赤外線検出装置であって、
前記光検出部バイアス電圧は直流電圧であり、
前記発光部バイアス電圧は交流電圧であり、
前記光検出部の出力から前記発光部バイアス電圧の周波数及び位相に対応する成分を抽出するロックインアンプを更に具備する
赤外線検出装置。
【請求項９】
少なくとも一層の量子ドット層と、前記量子ドット層を内包する中間層とを備えた光検出部に光検出部バイアス電圧を印加するステップと、
前記光検出部とモノリシックに形成された発光部に印加される発光部バイアス電圧に基づいて、前記発光部が光子を出力するステップと、
前記光検出部に入射した検出対象赤外線により、前記量子ドット層の量子ドットにおいてキャリアが前記量子ドットの基底準位から励起準位へサブバンド間遷移するステップと、
前記励起準位に遷移した前記キャリアが前記光子により前記中間層の伝導帯に励起するステップと、
前記中間層の前記伝導帯に励起した前記キャリアに基づいて、前記光検出部が光電流を出力するステップと
を具備し、
前記発光部の発光エネルギーは、前記励起準位と前記中間層の伝導帯端とのエネルギー差以上である
赤外線検出方法。
【請求項１０】
請求項９に記載の赤外線検出方法であって、
前記光検出部バイアス電圧は直流電圧であり、
発光部バイアス電圧は交流電圧であり、
前記光検出部の出力から前記発光部用バイアス電圧の周波数及び位相に対応する成分を抽出するステップを更に具備する
赤外線検出方法。
【発明の詳細な説明】
【技術分野】
【０００１】
本発明は量子ドット型赤外線検出器、赤外線検出装置、及び赤外線検出方法に関する。
【背景技術】
【０００２】
波長が１０ μｍ程度の遠赤外線は、室温付近の黒体輻射スペクトルのピークに相当するため、この波長帯における高性能な検出器が暗視装置やリモートセンシング応用の面から強く望まれている。従来の冷却型赤外線検出器としては、ＨｇＣｄＴｅ系の材料を用いた直接遷移型赤外線検出装置が主に使われてきた。しかしながらその材料には、大面積基板の均質性が乏しく加工プロセスも困難であるという課題があり、それが赤外線検出器の価格を押し上げる要因となっていた。一方で、近年の半導体結晶成長技術の進展と成熟に伴い、特にＧａＡｓ等のＩＩＩ−Ｖ族半導体では均質性の高い大面積基板が低価格で提供されるようになり、これを用いた赤外線検出器（例えば量子井戸型赤外線検出器）が開発されてきた。
【０００３】
このようなＩＩＩ−Ｖ族半導体赤外線検出器の中でも、光吸収層として量子ドットを用いた量子ドット型赤外線検出器が近年頓に注目を集めている。以下に、量子ドットと、それを用いた量子ドット型赤外線検出器の動作原理について簡単に説明する。
【０００４】
量子ドットは、直径がナノメートルサイズの３次元的な微小構造であり、ここでは異なる組成の半導体結晶の接合界面における格子定数の違いによる歪みを解消するために自然に形成される（Ｓｔｒａｎｓｋｉ−Ｋｒａｓｔａｎｏｖ（Ｓ−Ｋ）モード）ものを指す。この様なＳ−Ｋモードで形成される半導体量子ドットはＳ−Ｋ量子ドットと呼ばれている。Ｓ−Ｋ量子ドットは、周囲の半導体材質のバンドギャップに比べて狭いバンドギャップを有する半導体材質で作製される。従って、そのヘテロ界面では伝導帯や荷電子帯に不連続で急峻なギャップが生じ、量子ドットにポテンシャルの井戸が形成される。そのため、量子ドット内には複数個の電子や正孔を保持することができる。量子ドット中のキャリア（電子や正孔）は、それらのド・ブロイ波長より小さな微小空間に３次元的に閉じ込められる。従って、量子ドット中のキャリアは、ちょうど水素原子の電子状態のように、離散化したエネルギー準位を持つ。量子ドットを含む量子ドット層に入射した赤外線は、基底準位（上記離散化エネルギー準位のうち、最もエネルギーの低い準位）に保持されていたキャリア（電子または正孔）を、量子ドット内の高次の離散化準位（励起準位）に励起する。ここで、基底準位は、基底状態に対応する。励起準位は、励起状態に対応する。この遷移はサブバンド間遷移又はサブバンド間励起と呼ばれる場合がある。赤外線によりサブバンド間励起されたキャリア（光キャリア）を、何らかの形でコンタクト電極まで到達させて電気信号（光電流）として測定することで赤外線を検出することができる。
【０００５】
半導体量子ドット型赤外線検出器は、前述した閉じ込めポテンシャル（ポテンシャルの井戸）と離散化エネルギー準位に起因してキャリアの熱励起が強く抑制されるために熱雑音特性に優れ、信号・雑音比の高い赤外線検出が可能である。更に、量子井戸型赤外線検出器ではキャリアが３次元的に閉じ込められていないが、量子ドット型赤外線検出器ではキャリアが３次元的に閉じ込められている。そのため、量子ドット型赤外線検出器では、基板に垂直方向の入射光に対しても感度を有するという利点もある。
【０００６】
赤外線検出器の性能は、おおまかには、入射した赤外線に対応して出力される信号（光電流）と、赤外線とは無関係に出力される雑音（暗電流）の比率で表現される。そのため、赤外線検出器の性能を向上させる方法として、光電流を増加させる方法と、暗電流を低減させる方法とがある。
【０００７】
特許文献１は、量子ドット型赤外線検出器において暗電流を低減する方法の一例を開示している。この例では、電極層を形成する半導体材質よりも広いバンドギャップを有する半導体材質を用いて量子ドットを埋め込む中間層が形成される。具体的には、量子ドットにＩｎＡｓを用い、量子ドットを埋め込む中間層にＡｌＧａＡｓを用い、電極層にＧａＡｓを用いる。
【先行技術文献】
【特許文献】
【０００８】
【特許文献１】特許第４７４９３５１号公報
【発明の概要】
【発明が解決しようとする課題】
【０００９】
上述のように、特許文献１では、電極層（コンタクト層）にＧａＡｓが用いられるのに対して、ＧａＡｓよりバンドギャップが広いＡｌＧａＡｓが中間層に用いられている。この方法によれば、伝導帯（あるいは荷電子帯）の中間層と電極層の界面にエネルギー障壁が形成されるため、バイアス電圧印加に伴う暗電流の低減が期待される。しかしながら、広バンドギャップの中間層を用いると、一般に量子ドットにおける励起準位と中間層における伝導帯端とのエネルギー差も大きくなってしまう。ここで、伝導帯は、電子の連続状態に対応する。そのため、赤外線を吸収して量子ドットの励起準位に遷移した光キャリアが低バイアス側の電極層に抜けにくくなり、結果的に信号（光電流）強度が損なわれるという問題点があった。
【００１０】
本発明は、このような問題点を解決するためになされたものであり、中間層に広バンドギャップの半導体材質を用いた場合において、光電流の低減を抑制することができる量子ドット型赤外線検出器、赤外線検出装置、及び赤外線検出方法を提供することを目的とする。
【課題を解決するための手段】
【００１１】
本発明にかかる量子ドット型赤外線検出器は、少なくとも一層の量子ドット層と、前記量子ドット層を内包する中間層とを備えた光検出部と、前記光検出部とモノリシックに形成された発光部とを具備する。前記光検出部は、前記量子ドット層の量子ドットにおけるキャリアの検出対象赤外線によるサブバンド間遷移に基づいて光電流を出力する。前記サブバンド間遷移において、前記キャリアが前記量子ドットの基底準位から励起準位へ遷移する。前記発光部の発光エネルギーは、前記励起準位と前記中間層の伝導帯端とのエネルギー差以上である。前記発光部は、前記サブバンド間遷移により前記励起準位に遷移した前記キャリアを前記中間層の伝導帯に励起する光子を出力する。
【００１２】
本発明にかかる赤外線検出装置は、上記量子ドット型赤外線検出器と、前記光検出部に光検出部バイアス電圧を印加する光検出部用電圧源と、前記発光部に発光部バイアス電圧を印加する発光部用電圧源とを具備する。
【００１３】
本発明にかかる赤外線検出方法は、少なくとも一層の量子ドット層と、前記量子ドット層を内包する中間層とを備えた光検出部に光検出部バイアス電圧を印加するステップと、前記光検出部とモノリシックに形成された発光部に印加される発光部バイアス電圧に基づいて、前記発光部が光子を出力するステップと、前記光検出部に入射した検出対象赤外線により、前記量子ドット層の量子ドットにおいてキャリアが前記量子ドットの基底準位から励起準位へサブバンド間遷移するステップと、前記励起準位に遷移した前記キャリアが前記光子により前記中間層の伝導帯に励起するステップと、前記中間層の前記伝導帯に励起した前記キャリアに基づいて、前記光検出部が光電流を出力するステップとを具備する。前記発光部の発光エネルギーは、前記励起準位と前記中間層の伝導帯端とのエネルギー差以上である。
【発明の効果】
【００１４】
本発明により、中間層に広バンドギャップの半導体材質を用いた場合において、光電流の低減を抑制することができる量子ドット型赤外線検出器、赤外線検出装置、及び赤外線検出方法を提供することができる。
【図面の簡単な説明】
【００１５】
【図１】実施の形態１にかかる量子ドット型赤外線検出器の概略構造を示す断面模式図である。
【図２】実施の形態１にかかる量子ドット型赤外線検出器の発光部の断面と発光部における伝導帯を示す模式図である。
【図３】実施の形態１にかかる量子ドット型赤外線検出器の光検出部の断面と光検出部における伝導帯を示す模式図である。
【図４】実施の形態１にかかる赤外線検出装置の模式図である。
【図５】実施の形態１にかかる発光部における伝導帯のバイアス電圧印加状態を示す模式図である。
【図６】比較例にかかる光検出部における伝導帯のバイアス電圧印加状態を示す模式図である。
【図７】実施の形態１にかかる光検出部における伝導帯のバイアス電圧印加状態を示す模式図である。
【図８】実施の形態１にかかる量子ドット型赤外線検出器の詳細構造を示す断面模式図である。
【図９】実施の形態２にかかる赤外線検出装置の模式図である。
【図１０】実施の形態３にかかる発光部の断面模式図である。
【発明を実施するための形態】
【００１６】
以下、図面を参照して本発明の実施の形態について説明する。本発明の実施の形態にかかる量子ドット型赤外線検出器において、赤外線による励起に用いられるキャリアは電子であっても正孔であっても構わないが、以下の説明ではキャリアが電子であるとして説明を行う。また、異なる図面においても同一の対象に対しては同一の符号を用いることにする。
【００１７】
（実施の形態１）
図１は、実施の形態１にかかる量子ドット型赤外線検出器の概略構造を示す。実施の形態１にかかる量子ドット型赤外線検出器は、半導体の母材１０と、発光部１１と、共通コンタクト層１２と、光検出部１３とを備える。母材１０、発光部１１、共通コンタクト層１２、及び光検出部１３は、母材１０、発光部１１、共通コンタクト層１２、及び光検出部１３の順番でＺ方向に配列される。光検出部１１と発光部１３がモノリシックに形成されているため、実施の形態１にかかる量子ドット型赤外線検出器が小型化される。
【００１８】
図２は、発光部１１の断面（図２上部）と発光部１１における伝導帯（図２下部）を示す。ここで、伝導帯は、電子の連続状態（連続エネルギー状態）に対応する。図２上部に示すように、発光部１１は、下部コンタクト層２０と、一のクラッド層２３と、半導体反射鏡２１と、量子井戸層２２と、他のクラッド層２３とを備える。母材１０、下部コンタクト層２０、一のクラッド層２３、半導体反射鏡２１、量子井戸層２２、他のクラッド層２３、及び共通コンタクト層１２は、母材１０、下部コンタクト層２０、一のクラッド層２３、半導体反射鏡２１、量子井戸層２２、他のクラッド層２３、及び共通コンタクト層１２の順番でＺ方向に配列される。量子井戸層２２は、クラッド層２３で挟まれている。下部コンタクト層２０及び共通コンタクト層１２は、発光部１１に発光部バイアス電圧を印加するために用いられる。量子井戸層２２は、発光部１１に印加される発光部バイアス電圧に基づいて光子を発生する光子発生部として機能する。半導体反射鏡２１は、量子井戸層２２で発生した光子を光検出部１３に向けて反射する。量子井戸層２２は、光検出部１３と半導体反射鏡２１の間に配置される。図２下部に、伝導帯端及び量子井戸中の離散準位を示す。
【００１９】
半導体反射鏡２１は、例えば分布ブラッグ反射鏡を用いることができる。分布ブラッグ反射鏡とは、第１の半導体材質で形成された半導体膜と、それとは屈折率（組成）の異なる第２の半導体材質で形成された半導体膜が交互に積層された多層膜周期構造を指す。第１の半導体材質で形成された半導体膜の膜厚は、発光部１１の発光エネルギーを持つ光の第１の半導体材質中における波長の４分の１に設定されている。第２の半導体材質で形成された半導体膜の膜厚は、発光部１１の発光エネルギーを持つ光の第２の半導体材質中における波長の４分の１に設定されている。この条件は、下記式で表される。
【数１】
2014082273.tif 000003
ここで、iは半導体材質のラベル、ｄｉは第ｉの半導体膜の膜厚、ｈはプランク定数、ｃは光速、Ｅは発光部１１の発光エネルギー、ｎｉは第ｉの半導体材質の屈折率である。多層膜周期構造に含まれる膜数が多いほど反射率が１に近づく（完全反射）。現実的には、２０〜３０対以上の膜数が好ましい。なお、図２下部の伝導帯端を示す曲線では、図面の簡略化のために多層膜周期構造に対応した表現を省略している。
【００２０】
量子井戸層２２は、電荷注入層２４と活性層２５を１対として、これらが３０対程Ｚ方向に配列した構造を有する。ただし、図２では、図面の簡略化のため、電荷注入層２４と活性層２５の１対と、隣の対の電荷注入層２４のみを図示している。量子井戸層２２において、電荷注入層２４と活性層２５とがＺ方向に積層されている。電荷注入層２４は、例えばＩｎＧａＡｓ／ＩｎＡｌＡｓのダブルヘテロ構造を有する量子井戸が少なくとも１０組程度Ｚ方向に配列した構造を有する。（ただし図２下部では、図面の簡略化のため一つの電荷注入層２４に対して３組の量子井戸のみが示されている。）同一組成同一膜厚の量子井戸が配列されると、個々の井戸の基底準位から周期的ポテンシャル構造を反映したミニバンドが形成される。活性層２５は、電荷注入層２４とは組成・膜厚のどちらかあるいは両方が異なった少なくとも１つの量子井戸を含む。量子井戸の基底準位は基底状態に対応する。後述するように、活性層２５中の２準位系（基底準位２６と励起準位２７）での電子の緩和に伴い発光が起きるので、発光部バイアス電圧印加時に活性層２５の励起準位２７は電荷注入層２４のミニバンドのエネルギー準位以下であることが要求される。ここで、基底準位２６は、電子の基底状態に対応する。励起準位２７は、電子の励起状態に対応する。
【００２１】
図３は、光検出部１３の断面（図３上部）と光検出部１３における伝導帯（図３下部）を示す。ここで、伝導帯は、電子の連続状態（連続エネルギー状態）に対応する。図３上部に示すように、光検出部１３は、少なくとも一層の量子ドット層３１と、量子ドット層３１を内包する中間層３０と、上部コンタクト層３２とを備える。共通コンタクト層１２、中間層３０及び量子ドット層３１の積層体、及び上部コンタクト層３２は、共通コンタクト層１２、中間層３０及び量子ドット層３１の積層体、及び上部コンタクト層３２の順番でＺ方向に配列される。上部コンタクト層３２及び共通コンタクト層１２は、光検出部１３に光検出部バイアス電圧を印加するために用いられる。量子ドット層３１の量子ドットとしては、例えばＩｎＡｓのＳ−Ｋ量子ドットを用いる。ＩｎＡｓのＳ−Ｋ量子ドットは、一般的には例えばＧａＡｓ基板上にＧａＡｓよりも格子定数の長いＩｎＡｓから形成される数原子層程度の薄い層（濡れ層）を積むことで自然に形成される。実施の形態１にかかる量子ドット型赤外線検出器の感度を向上させるために２層以上の量子ドット層３１を積層する場合は、第１の量子ドット層３１の上に５０ ｎｍ程度の中間層３０を積層した上で第２の量子ドット層３１を積層する。第３の量子ドット層３１以降についても同様に積層する。複数の量子ドット層３１は、Ｚ方向に積層される。図３では図面の簡略化のため、光検出部１３が３層の量子ドット層３１を含む例を示している。図３下部に、伝導帯端及び量子ドット中の離散準位を示す。伝導帯端を示す曲線は、３層の量子ドット層３１を反映している。光検出部１３の量子ドットにおける基底準位３３と励起準位３４とのエネルギー差が、検出対象の赤外線のエネルギーと略一致するように光検出部１３が形成されている。ここで、基底準位３３は、電子の基底状態に対応する。励起準位３４は、電子の励起状態に対応する。
【００２２】
実施の形態１にかかる量子ドット型赤外線検出器では、光検出部１３へのバイアス電圧印加に起因する暗電流を低減する目的で、上部コンタクト層３２および共通コンタクト層１２を形成する半導体材質よりもバンドギャップが広い半導体材質で中間層３０が形成されている。例えば、上部コンタクト層３２及び共通コンタクト層１２がｎ−ＧａＡｓで形成され、中間層３０がＧａＡｓよりバンドギャップが広いＡｌＧａＡｓで形成される。
【００２３】
図４は、実施の形態１にかかる赤外線検出装置を模式的に示している。実施の形態１にかかる赤外線検出装置は、上述の量子ドット型赤外線検出器と、発光部１１に発光部バイアス電圧を印加する発光部用電圧源８０と、光検出部１３に光検出部バイアス電圧を印加する光検出部用電圧源８１と、光検出部１３が出力する出力電流を検出する電流検出器７９とを備える。発光部用電圧源８０及び光検出部用電圧源８１は、それぞれ直流電圧源である。発光部用電圧源８０の正極が下部コンタクト層２０に接続され、発光部用電圧源８０の負極が共通コンタクト層１２に接続される。光検出部用電圧源８１の正極が上部コンタクト層３２に接続され、光検出部用電圧源８１の負極が共通コンタクト層１２に接続される。電流検出器７９は、例えば、光検出部１３の出力電流を電圧信号に変換してもよい。光検出部１３の出力電流は、光検出部１３に入射した赤外線に対応する光電流（信号）を含む。
【００２４】
実施の形態１にかかる量子ドット型赤外線検出器は、共通コンタクト層１２と上部コンタクト層３２との間に光検出部バイアス電圧を印加して光電流を検出する縦バイアス印加型の赤外線検出器である。光検出部１３に光検出部バイアス電圧を印加した状態で、共通コンタクト層１２と下部コンタクト層２０との間にも独立に発光部バイアス電圧を印加して発光部１１を発光させる。その光の一部を光検出部１３で受けることで、光電流を補償する（光電流の低減を抑制する）。
【００２５】
以下に説明する実施形態１にかかる赤外線検出方法において、光電流の補償（光電流の低減抑制）について述べる。
【００２６】
図５を参照して、発光部１１に発光部バイアス電圧を印加したときの作用を説明する。図５に、発光部１１に発光部バイアス電圧を印加したときの発光部１１における伝導帯端及び量子井戸中の離散準位を示す。以下に説明するように、発光部バイアス電圧に基づいて量子移井戸層２２が光子４１を出力する。共通コンタクト層１２にグラウンド電位を供給し、下部コンタクト層２０に正電位を供給して、発光部１１に発光部バイアス電圧を印加する。すると、共通コンタクト層１２から共通コンタクト層１２に最近接の電荷注入層２４のミニバンド４０に電子５０が供給される。続いて、ミニバンド４０から活性層２５の励起準位２７へ共鳴トンネリングにより電子５０が注入される。活性層２５において励起準位２７から基底準位２６へ電子５０が緩和する際に、励起準位２７と基底準位２６のエネルギー差（発光エネルギー）に対応する光子４１が放出される。このエネルギー差が、光検出部１３の量子ドットにおける励起準位３４と中間層３０における伝導帯端とのエネルギー差以上となるように、より好ましくは略一致するように、活性層２５の組成や膜厚が設計されている。活性層基底準位２６へ緩和した電子５０は、ＬＯ（ｌｏｎｇｉｔｕｄｉｎａｌ  ｏｐｔｉｃａｌ）フォノンを介して次の対の電荷注入層２４に速やかに排出される。これにより、活性層２５の２準位系に反転分布が形成される。引き続き次の電荷注入層２４と活性層２５の組でも同様にして光子が放出される。図示しない共振器構造によって光強度が再帰的に増幅され、誘導放出を起こすことで量子井戸層２２がレーザ発振する。このようなレーザを量子カスケードレーザ又は量子井戸型のカスケードレーザと呼ぶ。このようにして発光した光子の一部は光検出部１３に向かって出力する。発光した光子の他の一部は光検出部１３の反対方向に出力して量子井戸層２２の下側に存在する半導体反射鏡２１によってＺ方向に（光検出部１３に向かって）反射され、光検出部１３に照射される。半導体反射鏡２１により、発生した光子のうち光検出部１３に到達する光子の割合が増加する。
【００２７】
次に、光検出部１３に光検出部バイアス電圧を印加した時の作用について説明する。発光部１１とは独立に光検出部１３にバイアス電圧を印加するため、共通コンタクト層１２にグラウンド電位を供給し、光検出部１３の上部コンタクト層３２に正電位を供給する。
【００２８】
実施の形態１にかかる光検出部１３に光検出部バイアス電圧を印加したときの作用の理解を容易にするため、はじめに、比較例にかかる光検出部１３に光検出部バイアス電圧を印加した時の作用を説明する。比較例にかかる光検出部１３は、中間層３０を形成する半導体材質のバンドギャップが上部コンタクト３２及び共通コンタクト層１２を形成する半導体材質のバンドギャップと同程度である点が実施の形態１にかかる光検出部１３と異なる。
【００２９】
図６は、比較例にかかる光検出部１３に光検出部バイアス電圧を印加したときの量子ドット近傍におけるポテンシャルを示す。図６は、量子ドット近傍における伝導帯端及び量子ドット中の離散準位を示す。検出対象の赤外線を受けると、量子ドット基底準位３３の電子５１が励起準位３４に励起される。中間層３０を形成する半導体材質のバンドギャップが上部コンタクト層３２及び共通コンタクト層１２を形成する半導体材質のバンドギャップと同程度である場合、量子ドットの形成時に量子ドットのエネルギー準位をうまく調整すると、図６に示すようにバイアス電圧印加の際に中間層３０の伝導帯端と量子ドットとの間に形成される三角ポテンシャルが、量子ドットの励起準位３４近傍に存在するような状況を実現できる。従って、赤外線によって励起準位３４に励起された電子５１は、中間層３０と量子ドットとの間に形成された三角ポテンシャルをトンネリングすることによって、容易に低バイアス側（正電位側）に移動することができる。
【００３０】
この条件を簡単な不等式で表わしておく。中間層３０が複数の量子ドット層３１を内包する場合を仮定する（量子ドット層数をｍとする）。量子ドット層３１間の中間層３０における電圧降下は、光検出部１３に印加されたバイアス電圧をＶとすると、Ｖ／（ｍ＋１）で近似される。ここで、量子ドット層３１の膜厚を無視する近似を行った。従って、量子ドットにおける励起準位３４近傍に三角ポテンシャルが存在するためには、下記不等式を満足すればよい。
【数２】
2014082273.tif 000004
ここで、ΔＥは量子ドットにおける励起準位３４と中間層３０における伝導帯端とのエネルギー差である。
【００３１】
図７は、実施の形態１にかかる光検出部１３に光検出部バイアス電圧を印加したときの量子ドット近傍におけるポテンシャルを示す。図７は、量子ドット近傍における伝導帯端及び量子ドット中の離散準位を示す。実施の形態１にかかる光検出部１３では、バイアス電圧印加に起因する暗電流を低減する目的で、上部コンタクト層３２及び共通コンタクト層１２を形成する半導体材質よりバンドギャップの広い半導体材質で中間層３０が形成されている。そのため、図７に示すように、量子ドットにおける励起準位３４と中間層３０における伝導帯端とのエネルギー差が大きいため、三角ポテンシャルは励起準位３４近傍に形成されない。この条件は、下記不等式で表わされる。
【数３】
2014082273.tif 000005
この場合、光検出部１３に入射した検出対象の赤外線によって基底準位３３から励起準位３４に電子５２が励起（サブバンド間遷移）しても、電子５２が励起準位３４からトンネリングで低バイアス側に抜け出すことが困難になり、光電流が抑制されてしまう。そこで、その光電流を補償するために発光部１１からの光子４１が光検出部１３に照射される。先述したように、光子４１の発光エネルギーは、光検出部１３の量子ドットの励起準位３４と中間層３０の伝導帯端とのエネルギー差以上である。
【００３２】
従って、図７に示すように、赤外線によって量子ドット励起準位３４に励起された電子５２が基底準位３３に緩和する前に発光部１１からの光子４１を受けると、中間層３０の伝導帯に遷移（励起）することができる。このように、光子４１により電子５０が励起準位３４から中間層３０の伝導帯に励起することを光アシストと呼ぶ。中間層３０の伝導帯まで遷移した電子５０は、そのまま低バイアス側に流れて光電流として光検出部１３から出力される。光電流は、電流検出器７９によって観測される。
【００３３】
上記の効果を奏する上では、光子４１の発光エネルギーが量子ドットにおける励起準位３４と中間層３０における伝導帯端とのエネルギー差以上であることが重要である。一方で発光エネルギーが大きすぎると、光検出部１３の量子ドットにおける基底準位３３の電子を中間層３０における伝導帯に励起してしまう等の想定外の悪影響が増加する。光検出部１３の量子ドットにおける基底準位３３の電子を中間層３０における伝導帯に励起してしまうことを抑制するため、発光エネルギーは量子ドットにおける基底準位３３と中間層３０における伝導帯端とのエネルギー差より小さいことが好ましい。その他の想定外の悪影響を抑制することを考えると、発光エネルギーは、量子ドットにおける励起準位３４と中間層３０における伝導帯端とのエネルギー差に略等しいことが最も好ましい。
【００３４】
以上の説明のように、実施の形態１にかかる量子ドット型赤外線検出器によれば、中間層３０に広バンドギャップの半導体材質を用いて暗電流を低減した場合において、広バンドギャップの半導体材質に起因する光電流の取り出し効率の低下を光アシストによって補償することができる。言い換えると、広バンドギャップの半導体材質に起因する光電流の低減を光アシストによって抑制することができる。
【００３５】
次に、実施の形態１にかかる量子ドット型赤外線検出器及び赤外線検出装置の製造方法について説明する。
【００３６】
図１を参照して、発光部１１と光検出部１３は、分子線エピタキシー法や有機金属気相成長法によってモノリシックな半導体基板（半導体ウエハ）として成長される。ここで、Ｚ方向は基板成長軸方向に一致している。発光部１１と光検出部１３はどちらが先に成長されても構わないが、ここでは発光部１１、共通コンタクト層１２、光検出部１３の順番に成長されたものとする。すなわち、図１の上側（基板最表面側）に光検出部１３が位置するものとする。バルク半導体としての母材１０としては、例えばＩＩＩ−Ｖ族半導体のｎ−ＧａＡｓが好適である。
【００３７】
図２を参照して、発光部１１の作製方法を説明する。バルクのＧａＡｓ基板としての母材１０の上に、厚さ数１００ ｎｍの下部コンタクト層２０が成長される。下部コンタクト層２０は、ｎ型コンタクト層である。下部コンタクト層２０は、ＧａＡｓにＳｉ等のｎ型不純物を適当な濃度（例えば２×１０１８ ｃｍ−３）だけ添加することで作製される。次に、クラッド層２３が成長される。クラッド層２３の材質としては例えばＩｎＰが用いられる。次に、分布ブラッグ反射鏡の多層膜２１が成長される。多層膜２１の第１の半導体材質と第２の半導体材質の組み合わせは、屈折率が異なるものであれば特に限定されないが、例えばＧａＡｓとＡｌＡｓの組み合わせを用いることができる。その後、量子井戸層２２が成長される。前述したように、量子井戸層２２において電荷供給層２４と活性層２５の対が３０対程積層方向（Ｚ方向）に配列している。個々の電荷供給層２４において、ＩｎＧａＡｓ／ＩｎＡｌＡｓのダブルヘテロ構造を有する量子井戸が少なくとも１０組程度配列している。量子井戸層２２の上側及び下側（図の左側及び右側）には、ＩｎＧａＡｓの導波層（図示されず）が積層されていてもよい。最後に、再びＩｎＰのクラッド層２３が積層される。
【００３８】
続いて、厚さ数１００ ｎｍ程度の共通コンタクト層１２が積層される。共通コンタクト層１２も、下部コンタクト層２０と同様にＧａＡｓにＳｉ等のｎ型不純物を適当な濃度（例えば２×１０１８ ｃｍ−３）だけ添加することで作製される。次に光検出部１３が作製される。
【００３９】
図３を参照して、光検出部１３の作製方法を説明する。まずｉ-ＧａＡｓ緩衝層（図示されず）が１００ ｎｍほど積層される。続いて、ＡｌＧａＡｓの中間層３０が積層される。ＡｌＧａＡｓ中間層３０は、少なくとも１層のＳ−Ｋ量子ドット層３１を内包する。検出器としての感度を向上させるために、好ましくは複数層の量子ドット層３１を内包する。その場合、量子ドットサイズの均一化のため、隣り合う量子ドット層３０は５０ｎｍ程間隔を空けることが望ましい。量子ドットは、成長温度や成長時間や原料供給速度等の様々な成長条件によって、そのサイズや面密度等の特性が変わる。量子ドット中の電子のエネルギー状態は、主に量子ドットのサイズと組成によって決まる。光検出部１３の量子ドット中の基底状態３３と励起状態３４とのエネルギー差が、検出対象の赤外線のエネルギーと略一致するように成長条件を調整する。次に、上部コンタクト層３２が積層される。上部コンタクト層３２は、ｎ-ＧａＡｓ層である。
【００４０】
図８は、上述した半導体ウエハに対して微細加工を施して作製した検出器構造の断面図を示す。図８を参照して、検出器構造の作製方法を説明する。まず紫外線または電子線リソグラフィーによってレジストパターンを形成した後に、金属蒸着とリフトオフによりｎ型コンタクトとしての上部コンタクト電極７０を作製する。上部コンタクト電極７０は、上部コンタクト層３２の上に形成される。上部コンタクト電極７０の金属材料としては、例えばＡｕＧｅ／Ｎｉ／Ａｕが好適である。続いて、リソグラフィーによって作製されたレジストパターンをマスクにして、ウエットエッチングを行う。このウエットエッチングによって画素分離のためのメサ構造６０が切り出される。メサ構造６０は、光検出部１３と、上部コンタクト電極７０とを含む。ウエットエッチングは、共通コンタクト層１２の上面が露出するまで行われる。続いて、上部コンタクト電極７０と同様にして共通コンタクト電極７１が形成される。共通コンタクト電極７１は共通コンタクト層１２の上に形成される。その後、上部コンタクト電極７０と上部コンタクト層３２の間および共通コンタクト電極７１と共通コンタクト層１２の間のオーミック接続をとるため、アニール処理を行う。アニール処理条件は、水素ガスを流した還元雰囲気中で４００℃程度の基板温度という条件下で行われる。最後に、半導体ウエハから複数の画素（メサ構造６０）を含む適当な範囲の半導体チップが切り出される。この半導体チップは、実施の形態１にかかる量子ドット型赤外線検出器を含んでいる。
【００４１】
上記のように作製された半導体チップを、適当な支持基材上に銀ペースト等の導電性の接着剤を用いて固定する。支持基材としては、例えば導電性セラミックスを用いることができる。これにより、支持基材をいわば下部コンタクト電極として用い、導電性接着剤を介してｎ−ＧａＡｓ基板としの母材１０および下部コンタクト層２０に基板背面からバイアス電圧を印加することができる。その後、上部コンタクト電極７０と共通コンタクト電極７１、及び下部コンタクト電極（支持基材）に対してワイヤーボンディングにより電気配線（典型的には直径数１０ μｍの金線）を結線する。それぞれの電極からの配線は、バイアス電圧印加のための電圧源８０及び８１や信号読み出し用のＩＣ回路（電流検出器７９）等に接続される。
【００４２】
（実施の形態２）
次に、実施の形態２にかかる赤外線検出装置及び赤外線検出方法を以下に説明する。
実施の形態１では、発光部１１に直流の、すなわち時間的に変動しない、バイアス電圧を印加する場合を説明した。もちろん、この場合も所定の効果を奏するが、実施の形態２では、検出精度を高めるために発光部１１に交流のバイアス電圧を印加し、ロックイン検波系を用いて光電流を検出する。実施の形態２にかかる赤外線検出装置及び赤外線検出方法は、以下に説明する点が実施の形態１にかかる赤外線検出装置及び赤外線検出方法から変更されている。
【００４３】
図９を参照して、実施の形態２にかかる赤外線検出装置は、上述の赤外線検出器と、発光部用電圧源８０と、光検出部用電圧源８１と、カレントアンプ８２と、ロックインアンプ８３と、交流電圧源８４とを備える。光検出部用電圧源８０は、共通コンタクト層１２と、光検出部１３の上部コンタクト層３２とに接続される。光検出部１３は、カレントアンプ８２を介してロックインアンプ８３に接続される。発光部用電圧源８０は、共通コンタクト層１２と、発光部１１の下部コンタクト層２０とに接続される。交流電圧源８４は、ロックインアンプ８４の参照信号入力端子に接続される。発光部用電源８０及び交流電圧源８４は互いに接続される。発光部用電圧源８０は、発光部１１に交流の発光部バイアス電圧を印加する交流電圧源である。ここで発光部バイアス電圧とは、例えば、０Ｖと数Ｖの２値を周期的に繰り返す矩形波のバイアス電圧である。これによって発光部１１は周期的に駆動されるため、その出力はパルス状のレーザ光となる。一方で、直流電圧源である光検出部用電圧源８１は、光検出部１３に直流の光検出部バイアス電圧を印加する。光検出部１３では、発光部１１からのパルスレーザの光アシストを受けて光電流が流れるため、光検出部１３からの光電流出力もパルスレーザ光に同期した交流信号になる。ここで、光検出部１３から出力される光検出部出力電流９１は、この光電流出力と、暗電流とを含む。
【００４４】
光検出部１３は、カレントアンプ８２を介してロックインアンプ８３へ光検出部出力電流９１を出力する。カレントアンプ８２は光検出部出力電流９１を増幅する。発光部１１を駆動する発光部用電圧源８０は、発光部バイアス電圧の周波数及び位相に対応した参照信号９２を交流電圧源８４に出力する。交流電圧源８４は、参照信号９２に同期した、適当な振幅と波形の交流電圧をロックインアンプ８３に出力する。この交流電圧は、発光部バイアス電圧の周波数及び位相を反映している。ロックインアンプ８３は、交流電圧源８４から供給される交流電圧に基づいて、増幅された光検出部出力電流９１から発光部バイアス電圧の周波数及び位相に対応する成分を抽出する。上述したロックイン検波系によれば、光検出部１３が出力した光検出部出力電流９１から暗電流等の直流成分や発光部１１の駆動周波数とは無関係な交流ノイズ電流成分を取り除いて、光アシストされた光電流のみを効率よく取り出すことができる。したがって、実施の形態２にかかる赤外線検出装置及び赤外線検出方法の検出精度が高くなる。
【００４５】
尚、発光部による光アシストがされない赤外線検出器にロックイン検波系を適用する場合は、その赤外線検出器に光チョッパーを介して赤外線を入力するか、その赤外線検出器の量子ドットへ印加されるバイアス電圧を交流にする必要がある。光チョッパーを用いると、その赤外線検出器の外部に機械的な可動部を設けることになる。そのため、その赤外線検出器及び光チョッパーを含む検出システムの全体サイズの増大、その検出システムのコストの上昇、及び、機械的な可動部の耐久性といった問題が発生する。更に、量子ドット型赤外線検出器は、検出器としての特性自体にバイアス電圧依存性があるため、交流のバイアス電圧を印加すると測定の正確さが低下するという問題が発生する。
【００４６】
実施の形態２によれば、光検出部１３には直流のバイアス電圧を印加しつつ、発光部１１に交流のバイアス電圧を印加する。更に、光チョッパーのような機械的な可動部が不要である。したがって、上記の問題を発生させることなく、ロックイン検波系による高精度検出を実現することができる。
【００４７】
（実施の形態３）
次に、実施の形態３にかかる赤外線検出器を説明する。実施の形態３にかかる赤外線検出器は、以下に説明する点が実施の形態１にかかる赤外線検出器から変更されている。尚、実施の形態３にかかる赤外線検出器を実施の形態１及び２にかかる赤外線検出装置及び赤外線検出方法に適用してもよい。
【００４８】
図１０を参照して、実施の形態３にかかる赤外線検出器の光検出部１３は、中間層３０と量子ドット層３１の積層体と上部コンタクト層３２との間に配置された半導体反射鏡２９を備える。半導体反射鏡２９は、上部コンタクト層３２に最近接の中間層３０と上部コンタクト層３２との間に配置される。中間層３０及び量子ドット層３１の積層体は、半導体反射鏡２９と発光部１１の間に配置される。半導体反射鏡２９は、発光部１１に設けられる半導体反射鏡２１と同様に作製される。実施の形態３によれば、発光層１１から光検出部１３に向けて照射された光のうち、光アシスト過程で吸収されなかった光が半導体反射鏡２９により再度量子ドット層３１に向けて反射される。そのため、光アシスト過程の効率が向上する。
【００４９】
なお、本発明は上記実施の形態に限られたものではなく、趣旨を逸脱しない範囲で適宜変更することが可能である。例えば、実施の形態にかかる量子ドット型赤外線検出器の薄膜を形成する半導体材質は、上記のものに限定されない。半導体反射鏡２１を設けなくてもよい。
【符号の説明】
【００５０】
１１…発光部
１３…光検出部
２１、２９…半導体反射鏡
２２…量子井戸層
３０…中間層
３１…量子ドット層
３３…量子ドット基底準位
３４…量子ドット励起準位
４１…光子
５０、５１、５２…電子
８０…発光部用電圧源
８１…光検出部用電圧源
８３…ロックインアンプ
９１…光検出部出力電流
【図１】
2014082273.tif 000006
【図２】
2014082273.tif 000007
【図３】
2014082273.tif 000008
【図４】
2014082273.tif 000009
【図５】
2014082273.tif 000010
【図６】
2014082273.tif 000011
【図７】
2014082273.tif 000012
【図８】
2014082273.tif 000013
【図９】
2014082273.tif 000014
【図１０】
2014082273.tif 000015